(57)【要約】本発明は、Ｅ−ＵＴＲＡＮ（発展型ユニバーサル地上は無線アクセスネットワーク）の拡張アップリンク専用チャネルのための高速ランダムアクセス方法および構成に関する。低アクティビティステートのユーザ装置（ＵＥ）が、プリアンブルを含むランダムアクセス要求をＮｏｄｅＢへ物理ランダムアクセスチャネル（ＰＲＡＣＨ）で送信する。ＮｏｄｅＢは、要求を受信し、受信したランダムアクセス要求に応じて、プリアンブルの検出に関連する情報を含む応答を取得インジケータチャネル（ＡＩＣＨ）で送信する。応答は、ＡＩＣＨの拡張に、ＵＥがとるべき行動の表示をさらに含む。本発明の一実施形態では、行動とはＥ−ＤＣＨにアクセスすることであり、応答はＥ−ＤＣＨに対する構成パラメータを含む。【選択図】図１
2011502418.tif 000002
【特許請求の範囲】
【請求項１】
低アクティビティステートのユーザ装置ＵＥへアップリンクチャネルアクセス情報を信号送信する無線基地局のための方法であって、
プリアンブルを含むランダムアクセス要求を物理ランダムアクセスチャネルＰＲＡＣＨで受信するステップ（７１０）と、
受信した前記ランダムアクセス要求に応じて、前記プリアンブルの検出に関連する情報を含む応答を取得インジケータチャネルＡＩＣＨで送信するステップ（７９０）と
を含み、
前記応答は、前記ＡＩＣＨの拡張に、前記ＵＥがとるべき行動の表示をさらに含むことを特徴とする、方法。
【請求項２】
前記行動は拡張専用チャネルＥ−ＤＣＨにアクセスすることであり、前記応答は前記Ｅ−ＤＣＨに対する構成パラメータを含む、請求項１に記載の方法。
【請求項３】
前記行動は、ランダムアクセスチャネルＲＡＣＨにアクセスすることである、請求項１〜２のいずれか１項に記載の方法。
【請求項４】
前記応答に含まれる前記表示は、
前記プリアンブルに対応した第１シーケンスを前記ＡＩＣＨに挿入し（７２０）、
前記第１シーケンスを第１の値で変調し（７３０）、
前記第１シーケンスに直交し、前記第１シーケンスに関連した第２シーケンスと第３シーケンスとを前記ＡＩＣＨの前記拡張に挿入し（７４０）、
前記第２シーケンスと前記第３シーケンスとをそれぞれ第２の値と第３の値とで変調し（７５０）、
前記第２シーケンスと前記第３シーケンスとに関連した第４シーケンスを前記ＡＩＣＨの前記拡張に挿入し（７６０）、
前記第４シーケンスを第４の値で変調し（７７０）、
予め構成された複数のリソース割当のうち、前記Ｅ−ＤＣＨにアクセスするため、またはランダムアクセスチャネルＲＡＣＨにアクセスするために使用する１つを示すように、前記第１の値と前記第２の値と前記第３の値と前記第４の値とを設定すること（７８０）
によって作成される、請求項１〜３のいずれか１項に記載の方法。
【請求項５】
前記ＡＩＣＨは第１シーケンスを含み、前記ＡＩＣＨの前記拡張は、前記第１シーケンスに直交する第２シーケンスと第３シーケンスとを含み、前記第２シーケンスと前記第３シーケンスとは、前記第１シーケンスに使用されるシーケンスのセットに対して位相を９０度ずらしたものに対応するシーケンスから選択される、請求項１〜４のいずれか１項に記載の方法。
【請求項６】
前記第１直交シーケンスと前記第２直交シーケンスと前記第３直交シーケンスとは、３２ビットシーケンスである、請求項４〜５のいずれか１項に記載の方法。
【請求項７】
前記第４直交シーケンスは、前記第２直交シーケンスと前記第３直交シーケンスとの８ビット拡張である、請求項４〜６のいずれか１項に記載の方法。
【請求項８】
前記第１の値は、取得インジケータのマッピングに関連する、請求項４〜７のいずれか１項に記載の方法。
【請求項９】
前記第１の値と前記第２の値と前記第３の値と前記第４の値との組合せは、取得インジケータのマッピングに関連する、請求項４〜７のいずれか１項に記載の方法。
【請求項１０】
前記ＡＩＣＨは複数のシーケンスを含み、前記第１の値と前記第２の値と前記第３の値と前記第４の値との前記マッピングは、選ばれた数の前記複数のシーケンスにおいて変調され、ピーク対平均電力比を低減させる、請求項８〜９のいずれか１項に記載の方法。
【請求項１１】
低アクティビティステートのユーザ装置ＵＥのためのアップリンクチャネルにアクセスする方法であって、
プリアンブルを含むランダムアクセス要求を無線基地局へ物理ランダムアクセスチャネルＰＲＡＣＨで送信するステップ（６１０）と、
前記プリアンブルの検出に関連した情報を含む応答を前記無線基地局において取得インジケータチャネルＡＩＣＨで受信するステップ（６２０）と
を含み、
前記ＡＩＣＨの拡張における、前記応答に基づくとるべき行動の表示を決定するステップ（６９０）を含むことを特徴とする方法。
【請求項１２】
前記行動は拡張専用チャネルＥ−ＤＣＨにアクセスすることであり、前記応答は前記Ｅ−ＤＣＨに対する構成パラメータを含む、請求項１１に記載の方法。
【請求項１３】
前記行動は、ランダムアクセスチャネルＲＡＣＨにアクセスすることである、請求項１１〜１２のいずれか１項に記載の方法。
【請求項１４】
前記応答の前記表示は
前記プリアンブルに対応する第１シーケンスを前記ＡＩＣＨから検出し（６３０）、
前記第１シーケンスから第１変調値を導出し（６４０）、
前記第１シーケンスに直交し、前記第１シーケンスに関連する第２シーケンスと第３シーケンスとを、前記ＡＩＣＨの前記拡張において検出し（６５０）、
前記第２シーケンスと前記第３シーケンスとに関連する第４シーケンスを、前記ＡＩＣＨの前記拡張において検出し（６７０）、
前記第２シーケンスと前記第３シーケンスと前記第４シーケンスとを復調することによって、それぞれ第２変調値と第３変調値と第４変調値とを導出し（６６０）、
前記第１変調値と前記第２変調値と前記第３変調値と前記第４変調値とに基づいて、予め構成された複数のリソース割当のうち、前記Ｅ−ＤＣＨにアクセスするため、またはランダムアクセスチャネルＲＡＣＨにアクセスするために使用する１つを決定すること（６９０）
によって解読される、請求項１１〜１３のいずれか１項に記載の方法。
【請求項１５】
前記ＡＩＣＨは第１シーケンスを含み、前記ＡＩＣＨの前記拡張は、前記第１シーケンスに直交する第２シーケンスと第３シーケンスとを含み、前記第２シーケンスと前記第３シーケンスとは、前記第１シーケンスに使用されるシーケンスのセットに対して位相を９０度ずらしたものに対応するシーケンスから選択される、請求項１１〜１４のいずれか１項に記載の方法。
【請求項１６】
低アクティビティステートのＵＥへアップリンクチャネルアクセス情報を信号送信する無線基地局（１０００）であって、
プリアンブルを含むランダムアクセス要求を物理ランダムアクセスチャネルＰＲＡＣＨで受信する受信部（１０１０）と、
受信した前記ランダムアクセス要求に応じて、前記プリアンブルの検出に関連する情報を含む応答を取得インジケータチャネルＡＩＣＨで送信する送信部（１０５０）と
を備え、
前記応答は、前記ＡＩＣＨの拡張に、前記ＵＥがとるべき行動の表示をさらに含むことを特徴とする、無線基地局。
【請求項１７】
前記行動は拡張専用チャネルＥ−ＤＣＨにアクセスすることであり、前記応答は前記Ｅ−ＤＣＨに対する構成パラメータを含む、請求項１６に記載の無線基地局。
【請求項１８】
前記行動は、ランダムアクセスチャネルＲＡＣＨにアクセスすることである、請求項１６〜１７のいずれか１項に記載の無線基地局。
【請求項１９】
前記無線基地局は、
前記プリアンブルに対応した第１シーケンスを前記ＡＩＣＨに挿入する手段（１０２０）と、
前記第１シーケンスを第１の値で変調する手段（１０３０）と、
前記第１シーケンスに直交し、前記第１シーケンスに関連した第２シーケンスと第３シーケンスとを前記ＡＩＣＨの前記拡張に挿入する手段（１０２０）と、
前記第２シーケンスと前記第３シーケンスとに関連した第４シーケンスを前記ＡＩＣＨの前記拡張に挿入する手段（１０２０）と、
前記第２シーケンスと前記第３シーケンスと前記第４シーケンスを、それぞれ第２の値と第３の値と第４の値とで変調する手段（１０３０）と、
予め構成された複数のリソース割当のうち、前記Ｅ−ＤＣＨにアクセスするため、またはランダムアクセスチャネルＲＡＣＨにアクセスするために使用する１つを示すように、前記第１の値と前記第２の値と前記第３の値と前記第４の値とを設定する手段（１０４０）と
をさらに備える、請求項１６〜１８のいずれか１項に記載の無線基地局。
【請求項２０】
前記第２シーケンスと前記第３シーケンスとは、前記第１シーケンスに使用されるシーケンスのセットに対して位相を９０度ずらしたものに対応するシーケンスから選択される、請求項１９に記載の無線基地局。
【請求項２１】
前記第１直交シーケンスと前記第２直交シーケンスと前記第３直交シーケンスとは、３２ビットシーケンスである、請求項１９〜２０のいずれか１項に記載の無線基地局。
【請求項２２】
前記第４直交シーケンスは、前記第２直交シーケンスと前記第３直交シーケンスとの８ビット拡張である、請求項１９〜２１のいずれか１項に記載の無線基地局。
【請求項２３】
前記第１の値は、取得インジケータのマッピングに関連する、請求項１９〜２２のいずれか１項に記載の無線基地局。
【請求項２４】
前記第１の値と前記第２の値と前記第３の値と前記第４の値との組合せは、取得インジケータのマッピングに関連する、請求項１９〜２２のいずれか１項に記載の無線基地局。
【請求項２５】
前記ＡＩＣＨは複数のシーケンスを含み、前記第１の値と前記第２の値と前記第３の値と前記第４の値との前記マッピングは、選ばれた数の前記複数のシーケンスにおいて変調され、ピーク対平均電力比を低減させる、請求項２３〜２４のいずれか１項に記載の無線基地局。
【請求項２６】
低アクティビティステートであるときにアップリンクチャネルにアクセスするユーザ装置ＵＥであって、
プリアンブルを含むランダムアクセス要求を無線基地局へ物理ランダムアクセスチャネルＰＲＡＣＨで送信する送信部（９１０）と、
前記プリアンブルの検出に関連した情報を含む応答を前記無線基地局において取得インジケータチャネルＡＩＣＨで受信する受信部（９２０）と
を備え、
前記ＡＩＣＨの前記拡張における、応答に基づくとるべき行動の表示を決定する手段（９５０）を備えることを特徴とするＵＥ。
【請求項２７】
前記行動は拡張専用チャネルＥ−ＤＣＨにアクセスすることであり、前記応答は前記Ｅ−ＤＣＨに対する構成パラメータを含む、請求項２６に記載のＵＥ。
【請求項２８】
前記行動は、ランダムアクセスチャネルＲＡＣＨにアクセスすることである、請求項２６〜２７のいずれか１項に記載のＵＥ。
【請求項２９】
前記ＵＥは、
前記プリアンブルに対応する第１シーケンスを前記ＡＩＣＨから検出する手段（９３０）と、
前記第１シーケンスから第１変調値を導出する手段（９４０）と、
前記第１シーケンスに直交し、前記第１シーケンスに関連する第２シーケンスと第３シーケンスとを、前記ＡＩＣＨの前記拡張において検出する手段（９３０）と、
前記第２シーケンスと前記第３シーケンスとに関連する第４シーケンスを、前記ＡＩＣＨの前記拡張において検出する手段（９３０）と、
前記第２シーケンスと前記第３シーケンスと前記第４シーケンスとを復調することによって、それぞれ第２変調値と第３変調値と第４変調値とを導出する手段（９４０）と、
前記第１変調値と前記第２変調値と前記第３変調値と前記第４変調値とに基づいて、予め構成された複数のリソース割当のうち、前記Ｅ−ＤＣＨにアクセスするため、またはランダムアクセスチャネルＲＡＣＨにアクセスするために使用する１つを決定する手段（９５０）と
をさらに備える、請求項２６〜２８のいずれか１項に記載のＵＥ。
【発明の詳細な説明】
【技術分野】
【０００１】
本発明は、無線通信の分野に関し、特にＥ−ＵＴＲＡＮ（Ｅｖｏｌｖｅｄ  Ｕｎｉｖｅｒｓａｌ  ｔｅｒｒｅｓｔｒｉａｌ  ｒａｄｉｏ  ａｃｃｅｓｓ  ｎｅｔｗｏｒｋ：発展型ユニバーサル地上波無線アクセスネットワーク）の拡張アップリンク専用チャネルのための高速ランダムアクセス方法および構成に関する。
【背景技術】
【０００２】
ＵＴＲＡＮ（ユニバーサル地上波無線アクセスネットワーク）は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ユニバーサルモバイルテレコミュニケーションズシステム）の無線アクセスネットワークを識別する用語である。ＵＴＲＡＮは、無線ネットワーク制御装置（ＲＮＳ：Ｒａｄｉｏ  Ｎｅｔｗｏｒｋ  Ｃｏｎｔｒｏｌｌｅｒ）と、ＮｏｄｅＢすなわち無線基地局とからなる。ＮｏｄｅＢは移動ユーザ装置と無線通信を行い、ＲＮＣはＮｏｄｅＢを制御する。ＲＮＣはさらにコアネットワーク（ＣＮ：Ｃｏｒｅ  Ｎｅｔｗｏｒｋ）に接続される。発展型ＵＴＲＡＮ（Ｅ−ＵＴＲＡＮ）は、高データレート、低遅延、パケット最適化を目指したＵＴＲＡＮの発展型である。また、Ｅ−ＵＴＲＡＮはＮｏｄｅＢからなり、ＮｏｄｅＢは相互接続され、さらに発展型パケットコアネットワーク（ＥＰＣ：Ｅｖｏｌｖｅｄ  Ｐａｃｋｅｔ  Ｃｏｒｅ  ｎｅｔｗｏｒｋ）に接続される。Ｅ−ＵＴＲＡＮは長期発展型（ＬＴＥ：Ｌｏｎｇ  Ｔｅｒｍ  Ｅｖｏｌｕｔｉｏｎ）ともいわれるもので、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）で規格化されたものである。
【０００３】
Ｅ−ＵＴＲＡＮにおけるユーザ装置（ＵＥ：ｕｓｅｒ  ｅｑｕｉｐｍｅｎｔ）は、アイドルモードまたは接続モードのいずれかとすることができる。接続モード間のＵＥのモビリティおよびアクティビティに基づいて、Ｅ−ＵＴＲＡＮはＵＥに複数の無線リソース制御（ＲＲＣ：ｒａｄｉｏ  ｒｅｓｏｕｒｃｅ  ｃｏｎｔｒｏｌ）サブステートＣｅｌｌ＿ＰＣＨステート、ＵＲＡ＿ＰＣＨステート、Ｃｅｌｌ＿ＦＡＣＨステート、Ｃｅｌｌ＿ＤＣＨステートで遷移させる。送信アクティビティが高いＵＥはＣｅｌｌ＿ＤＣＨステートとなり、電力が制御された専用チャネルがＵＥに対して確立される。Ｃｅｌｌ＿ＤＣＨステートでは、ＵＥは専用無線またはハードウェアリソースに割り当てられ、処理遅延を最小化し、高容量を得る。送信アクティビティが低いＵＥはＣｅｌｌ＿ＦＡＣＨステートとなり、共通チャネルのみが使用される。Ｃｅｌｌ＿ＦＡＣＨステートでは、ＮｏｄｅＢにおける専用ハードウェアリソースは必要ない。送信アクティビティがないＵＥはアイドル、すなわちＣｅｌｌ＿ＰＣＨステートまたはＵＲＡ＿ＰＣＨステートであり、ＵＥの電力消費を非常に低くすることができるが、データ送信は全くできない。
【０００４】
３ＧＰＰリリース８においては、Ｃｅｌｌ＿ＦＡＣＨステートの拡張アップリンクを応用するとアップリンク送信が改善されると議論されている。このように、ＵＥは、今日可能なスループットよりも高いスループットで、Ｃｅｌｌ＿ＦＡＣＨでのアップリンクデータの送信が可能であろう。このため、ＵＥは、可能な限りはやく拡張専用チャネル（Ｅ−ＤＣＨ：ｅｎｈａｎｃｅｄ  ｄｅｄｉｃａｔｅｄ  ｃｈａｎｎｅｌ）を使用する必要があり、またＣｅｌｌ＿ＤＣＨステートはＲＮＣとの通信を伴うため、Ｃｅｌｌ＿ＤＣＨステートへ遷移せずにＥ−ＤＣＨを使用する必要があろう。簡単にいえば、議論されている高速Ｅ−ＤＣＨアクセス手続は、図１に示しており、次のようになる。
１．ＮｏｄｅＢが、ＣＥＬＬ＿ＦＡＣＨステートのアップリンクトラフィックに使用可能な共通Ｅ−ＤＣＨの構成をブロードキャストする。
２．ＵＥが、ランダムアクセスチャネル（ＲＡＣＨ：Ｒａｎｄｏｍ  Ａｃｃｅｓｓ  Ｃｈａｎｎｅｌ）手続を開始する。
３．ＮｏｄｅＢが、ＵＥに応答を送信し、加えてコード、タイミングオフセット、その他の追加情報をＵＥへ送信し、ＵＥが共通Ｅ−ＤＣＨの割当リソースでデータを送信できるようにする。ＲＮＣとのやり取りは必要ない。
４．ＵＥが、ＮｏｄｅＢが割り当てたリソースを使用して、データの送信を開始する。ＮｏｄｅＢが共通Ｅ−ＤＣＨでＵＥにリソースを割り当てることができたら、ＵＥはＲＡＣＨ手続のデータ部分を除外し、Ｅ−ＤＣＨでデータの送信を続行することになる。しかしながら、共通ＤＣＨで割当可能なリソースがなければ、ＵＥはＲＡＣＨ手続のデータ部分を使用することになる。
５．ＵＥが送信するデータがもうなければ、ＮｏｄｅＢは共通ＥＤＣＨリソースを解放する。
【発明の概要】
【発明が解決しようとする課題】
【０００５】
上述の手続は、高速Ｅ−ＤＣＨアクセス手続中にＵＥにとって使用可能なリソースが必要であるという問題を示している。
【０００６】
したがって、本発明の目的は、改善された高速Ｅ−ＤＣＨアクセス手続のための方法および構成を提供することである。
【課題を解決するための手段】
【０００７】
上記目的は、Ｅ−ＤＣＨに対するアップリンクチャネルアクセス情報を低アクティビティステートのＵＥへ信号送信し、通常のランダムアクセスチャネル（ＲＡＣＨ）ユーザに使用される同一のＡＩＣＨチャネル化コードを使用するによって、本発明により達成される。
【０００８】
本発明の第１の観点によれば、低アクティビティステートのユーザ装置ＵＥへアップリンクチャネルアクセス情報を信号送信する無線基地局のための方法が提供される。当該方法では、プリアンブルを含むランダムアクセス要求が、物理ランダムアクセスチャネルＰＲＡＣＨで受信される。受信したランダムアクセス要求に応じて、プリアンブルの検出に関連する情報を含む応答が、取得インジケータチャネルＡＩＣＨで送信される。応答は、ＡＩＣＨの拡張に、ＵＥがとるべき行動の表示をさらに含む。
【０００９】
本発明の第２の観点によれば、低アクティビティステートのユーザ装置ＵＥのためのアップリンクチャネルにアクセスする方法が提供される。当該方法では、プリアンブルを含むランダムアクセス要求が、無線基地局へ物理ランダムアクセスチャネルＰＲＡＣＨで送信される。プリアンブルの検出に関連する情報を含む応答が、無線基地局において取得インジケータチャネルＡＩＣＨで受信される。ＡＩＣＨの拡張における、応答に基づくとるべき行動の表示が決定される。
【００１０】
本発明の第３の観点によれば、低アクティビティステートのＵＥへアップリンクチャネルアクセス情報を信号送信する無線基地局が提供される。当該無線基地局は、プリアンブルを含むランダムアクセス要求を物理ランダムアクセスチャネルＰＲＡＣＨで受信する受信部を備える。また、当該無線基地局は、受信したランダムアクセス要求に応じて、プリアンブルの検出に関連する情報を含む応答を取得インジケータチャネルＡＩＣＨで送信する送信部を備える。応答は、ＡＩＣＨの拡張に、ＵＥがとるべき行動の表示をさらに含む。
【００１１】
本発明の第４の観点によれば、低アクティビティステートであるときにアップリンクチャネルにアクセスするユーザ装置ＵＥが提供される。当該ＵＥは、プリアンブルを含むランダムアクセス要求を無線基地局へ物理ランダムアクセスチャネルＰＲＡＣＨで送信する送信部を備える。また、当該ＵＥは、プリアンブルの検出に関連した情報を含む応答を無線基地局において取得インジケータチャネルＡＩＣＨで受信する受信部を備える。加えて、当該ＵＥは、ＡＩＣＨの拡張における、応答に基づくとるべき行動の表示を決定する手段を備える。
【発明の効果】
【００１２】
本発明の一効果は、最多で８の高速Ｅ−ＤＣＨアクセスユーザへＡＣＫ／ＮＡＣＫ／ＤＴＸを信号送信し、８以上のリソース構成のうちの１つを各ユーザに示す効率的な解決手段を提供することである。
【００１３】
別の効果は、本発明は１６の新たなシーケンスを追加し、目下使用していないＡＩＣＨの最後の８ビットを活用することで、既存のＡＩＣＨチャネルを拡張するため、追加チャネル化コードが使用されないことである。
【００１４】
さらに別の効果は、本発明の一実施形態において、ＡＣＫが無線通信ネットワークにおける複数のユーザへ送信される場合に、ＡＩＣＨにおける全シーケンスの第１ＱＰＳＫシンボルの送信したピーク対平均電力比が低減されることである。
【図面の簡単な説明】
【００１５】
よりよい理解のために、以下の図面および本発明の好ましい実施形態について述べる。
【００１６】
【図１】図１は、最新技術による高速Ｅ−ＤＣＨアクセス手続を示す。
【図２】図２は、最新技術のＡＩＣＨを示す。
【図３】図３は、３ＧＰＰ  ＴＳ  ２５．２１１で定義された最新技術のＡＩＣＨに使用する１６個のシーケンスを示す。
【図４】図４は、本発明の一実施形態による１６個の追加直交シーケンスを有する拡張ＡＩＣＨを示す。
【図５】図５は、本発明の一実施形態によるシーケンス１６〜３１の残りの８ビットにおいて８個の直交シーケンスを割り当てることによって、ＡＩＣＨの拡張をどのように行うかを示す。
【図６】図６は、本発明の一実施形態によるＵＥのための方法のフローチャートである。
【図７】図７は、本発明の一実施形態によるＮｏｄｅＢのための方法のフローチャートである。
【図８】図８は、Ｅ−ＤＣＨでのあり得る割当Ｒ０〜Ｒ７の表である。
【図９】図９は、本発明の一実施形態によるＵＥにおいて実施される手段を示す。
【図１０】図１０は、本発明の実施形態によるＮｏｄｅＢにおいて実施される手段を示す。
【発明を実施するための形態】
【００１７】
以下、本発明の好ましい実施形態を示した添付図面を参照しながら、本発明をより完全に説明する。しかしながら、本発明は、多種多様な形態で実施することが可能であり、ここに記載する実施形態に限定されると解釈すべきではない。むしろ、これらの実施形態は、本開示を徹底的で完全なものとし、当業者に本発明の範囲を完全に伝えるために与えるものである。図面において、同様の参照符号は同様の構成を表す。
【００１８】
また、当業者であれば、プログラムされたマイクロプロセッサや汎用コンピュータと関連して機能するソフトウェアを用いたり、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）を用いたりすることによって、以下で説明する手段および機能を実施することが可能である、ということが了解されよう。原則として方法および装置の形態で本発明を説明するが、本発明は、コンピュータプログラムプロダクトで実施することも、コンピュータプロセッサと、ここで開示する機能を実行可能な１または２以上のプログラムで符号化され、プロセッサに連結されたメモリとを含んだシステムで実施することも可能である、ということも了解されよう。
【００１９】
本発明は、通常のランダムアクセスチャネル（ＲＡＣＨ：Ｒａｎｄｏｍ  Ａｃｃｅｓｓ  Ｃｈａｎｎｅｌ）のユーザに使用される同一のＡＩＣＨチャネル化コードを使用して、Ｅ−ＤＣＨに対するアップリンクチャネルアクセス情報を低アクティビティステートのＵＥへ信号送信する方法および構成に関する。かかる方法および構成を実施した例を以下で説明する。
【００２０】
本発明の一実施形態によれば、低アクティビティステートのＵＥは、プリアンブルを含んだランダムアクセス要求を、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）でＮｏｄｅＢへ送信する。ＮｏｄｅＢは要求を受信し、受信したランダムアクセス要求に応じて、プリアンブルの検出に関連した情報を含んだ応答を、取得インジケータチャネル（ＡＩＣＨａｃｑｕｉｓｉｔｉｏｎ  ｉｎｄｉｃａｔｏｒ  ｃｈａｎｎｅｌ）で送信する。この応答は、ＡＩＣＨの拡張に、ＵＥがとるべき行動の表示をさらに含む。本発明の一実施形態では、この行動はＥ−ＤＣＨにアクセスすることであり、応答はＥ−ＤＣＨに対する構成パラメータを含む。
【００２１】
以下では、８通常ＲＡＣＨユーザがＡＣＫ／ＮＡＣＫ／ＤＴＸを受信し、８高速Ｅ−ＤＣＨアクセスユーザがＡＣＫ／ＮＡＣＫ／ＤＴＸと、８以上のリソース構成のうちで使用すべき１つのリソース構成の表示とを受信することができる構成として、本発明を説明するが、当業者であれば、本発明を拡張して高速Ｅ−ＤＣＨアクセスユーザを別の数にすることも可能である。
【００２２】
上述のように、ＵＥは、プリアンブルを含んだランダムアクセス要求を物理ＲＡＣＨ（ＰＲＡＣＨ）でＮｏｄｅＢへ送信することによって、ＲＡＣＨ手続を開始する。ＮｏｄｅＢは、取得インジケータ（ＡＩ：ａｃｑｕｉｓｉｔｉｏｎ  ｉｎｄｉｃａｔｏｒ）で確認応答を送信する。ＡＩは、ダウンリンクで送信されたＡＩＣＨにマッピングされる。各ＡＩは「０」、「＋１」、「−１」のいずれかである。「＋１」は肯定確認応答ＡＣＫに対応しており、ＮｏｄｅＢがプリアンブルを検出し、低アクティビティステートのＵＥがＥ−ＤＣＨにアクセスできることを意味する。「０」は確認応答なしＤＴＸに対応しており、ＮｏｄｅＢがプリアンブルを検出していないことを意味する。「−１」は否定確認応答ＮＡＣＫに対応しており、ＮｏｄｅＢがプリアンブルを検出したが、ＵＥはＲＡＣＨ手続をアボートして、ＰＲＡＣＨでのプリアンブルに関する別試行を行うよう命令される。
【００２３】
３Ｇ移動通信規格では、ダウンリンクにＱＰＳＫ変調を使用する。１６ＱＰＳＫシンボルを表す長さ３２ビットの１６直交シーケンスが、拡散率２５６の１ＡＩＣＨチャネル化コードで輸送され、最多で１６のＵＥに取得インジケータ、すなわちＡＣＫ／ＮＡＣＫ／ＤＴＸを示す。図２は最新技術のＡＩＣＨを示している。１６シーケンス（０，１，……，１５）のうちの１シーケンスまたは複数のシーケンスは、１または複数のＵＥに対するＡＣＫすなわち肯定確認応答として値「＋１」で、ＮＡＣＫすなわち否定確認応答として値「−１」で、ＤＴＸすなわち確認応答なしとして値「０」で変調される。各シーケンスの末端の４ＱＰＳＫシンボルを表す残りの８ビットは、目下使用されない。
【００２４】
最新技術のＡＩＣＨに使用する１６シーケンスは３ＧＰＰ  ＴＳ  ２５．２１１において定義されており、図３に示す。
【００２５】
本発明の一実施形態では、ＡＩＣＨを１６の追加直交シーケンス（１６，１７，……，３１）で拡張する。拡張したＡＩＣＨを図４に示す。また、シーケンス１６がシーケンス０に直交するように、シーケンスが生成される。シーケンス１６は、シーケンス０として使用されたシーケンスのセットに対して位相を９０度ずらしたものに対応するシーケンスのセットの中から選択される。また、シーケンス１７は、シーケンス１に対して位相を９０度ずらしたものであり、シーケンス１５に対して位相を９０度ずらしたものであるシーケンス３１まで以下同様となる。
【００２６】
ＡＩＣＨの追加拡張は、シーケンス１６〜３１の残りの８ビットにおける８直交シーケンスの割当によって行う。この拡張を図５に示す。より具体的には、４ＱＰＳＫシンボルを表す長さ８ビットの１直交シーケンスは、直交シーケンス１６〜３１について、長さ３２の２直交シーケンスに属している。長さ８ビットの８直交シーケンス、すなわちシーケンス０’〜７’は、長さ８ビットのウォルシュシーケンスから以下のように生成することができる。
シーケンス０’  ＝  ＋１，  ＋１，  ＋１，  ＋１，  ＋１，  ＋１，  ＋１，  ＋１
シーケンス１’  ＝  ＋１，  −１，  ＋１，  −１，  ＋１，  −１，  ＋１，  −１
シーケンス２’  ＝  ＋１，  ＋１，  −１，  −１，  ＋１，  ＋１，  −１，  −１
シーケンス３’  ＝  ＋１，  −１，  −１，  ＋１，  ＋１，  −１，  −１，  ＋１
シーケンス４’  ＝  ＋１，  ＋１，  ＋１，  ＋１，  −１，  −１，  −１，  −１
シーケンス５’  ＝  ＋１，  −１，  ＋１，  −１，  −１，  ＋１，  −１，  ＋１
シーケンス６’  ＝  ＋１，  ＋１，  −１，  −１，  −１，  −１，  ＋１，  ＋１
シーケンス７’  ＝  ＋１，  −１，  −１，  ＋１，  −１，  ＋１，  ＋１，  −１
【００２７】
しかしながら、他のタイプの長さ８ビットのシーケンスから、８直交シーケンスを生成することも可能である。
【００２８】
図５に示すように、ここでは長さ３２ビットの３２直交シーケンス全体が使用可能である。加えて、長さ８ビットの８直交シーケンスも使用可能であり、当該シーケンスは、シーケンス１６〜３１の長さ３２ビットの直交シーケンスのペアにそれぞれ関連している。
【００２９】
本発明の一実施形態では、長さ３２ビットの３２直交シーケンスと長さ８ビットの８直交シーケンスを使用して、ＲＡＣＨを使用する最多で８のＵＥにＡＣＫ／ＮＡＣＫ／ＤＴＸ表示を輸送し、Ｅ−ＤＣＨを使用する最多で８のＵＥにＡＣＫ／ＮＡＣＫ／ＤＴＸ表示とリソース表示とを輸送する。一例としては、はじめの長さ３２ビットの８直交シーケンス、すなわちシーケンス０〜７を、ＲＡＣＨを使用する８ＵＥにＡＣＫ／ＮＡＣＫ／ＤＴＸを輸送するために予約する。すなわちＰＲＡＣＨプリアンブル０〜７に関連させる。そして、次の長さ３２ビットの８直交シーケンス、すなわちシーケンス８〜１５は、Ｅ−ＤＣＨを使用する８ユーザにＡＣＫ／ＮＡＣＫ／ＤＴＸを輸送するために使用する。すなわちＰＲＡＣＨプリアンブル８〜１５に関連させる。残りの長さ３２ビットの１６直交シーケンス、すなわちシーケンス１６〜３１は、ペアにして上述の直交シーケンス８〜１５にそれぞれ関連させる。また、長さ８ビットの８直交シーケンスの各々は、長さ３２の直交シーケンスすなわちシーケンス１６〜３１のペアにそれぞれ関連させる。
【００３０】
以上によれば、ここでは８シーケンスセットが使用可能であり、全体で、取得インジケータすなわちＡＣＫ／ＮＡＣＫ／ＤＴＸと、Ｅ−ＤＣＨ使用する最多で８のＵＥに対する予め構成された８リソース割当のうちの１つを示す３情報ビットとを、輸送することができる。各シーケンスセットは、次のものからなる。
・シーケンス８〜１５より、長さ３２ビットの１シーケンス。ＡＣＫの場合は値「＋１」、ＮＡＣＫの場合は値「−１」、ＤＴＸの場合は値「０」で変調される。
・シーケンス１６〜３１より、長さ３２ビットの２つの連続したシーケンス。それぞれ、対応する情報ビットが値「０」を有するものであれば値「＋１」で変調され、あるいは対応する情報ビットが値「１」を有するものであれば値「−１」で変調される。
・シーケンス０’〜７’より、長さ８ビットの１シーケンス。対応する情報ビットが値「０」を有するものであれば値「＋１」で変調され、あるいは対応する情報ビットが値「１」を有するものであれば値「−１」で変調される。
【００３１】
前述のように、図１に示した高速Ｅ−ＤＣＨアクセス手続は、ＮｏｄｅＢが共通Ｅ−ＤＣＨの構成をブロードキャストすることで始まるものであり、この共通Ｅ−ＤＣＨの構成は、Ｃｅｌｌ＿ＰＣＨステート、ＵＲＡ＿ＰＣＨステート、Ｃｅｌｌ＿ＦＡＣＨステートなどの低アクティビティステートのＵＥのアップリンクトラフィックに使用することができる。また、図６に示すように、Ｅ−ＤＣＨにアクセスするためのスクランブリングコードと署名コードとを使用して生成したプリアンブルを含んだ要求を、ＮｏｄｅＢへＰＲＡＣＨで送信すること６１０によって、低アクティビティステートのＵＥがＲＡＣＨ手続を開始する。図７に示すように、ＮｏｄｅＢはＰＲＡＣＨで要求を受信する７１０。そして、ＮｏｄｅＢは、プリアンブルの検出に関連した情報を含んだ応答、すなわちＡＣＫ／ＮＡＣＫ／ＤＴＸを、ＵＥへＡＩＣＨで送信する７９０。この応答は、上述の拡張のようなＡＩＣＨの拡張に、ＵＥがとるべき行動の表示をさらに含む。
【００３２】
さらに図７に示すように、ＡＩＣＨにおいてインデックスＮの長さ３２ビットのシーケンスを挿入すること７２０で、表示を作成する。シーケンスＮはプリアンブルに対応する。例えば、図５のインデックス８のシーケンスを選択すると、このシーケンス８は、ＡＣＫならば値「＋１」、ＮＡＣＫならば値「−１」など、ＡＩを示す値で変調７３０される。シーケンス８が値「−１」で変調される場合、ＡＩはＮＡＣＫであり、ＲＡＣＨにアクセスする行動を示す表示が設定される。
【００３３】
しかしながら、ＡＩがＡＣＫであり、その結果シーケンス８が値「＋１」で変調される場合、ＮｏｄｅＢはＵＥが使用するＥ−ＤＣＨのリソースを割り当てる。ＮｏｄｅＢは、インデックス２ｘ（Ｎ−８）＋１６、２ｘ（Ｎ−８）＋１７の、長さ３２ビットの第２および第３シーケンス、すなわちシーケンス１６およびシーケンス１７をＡＩＣＨにそれぞれ挿入する７４０。そして、シーケンス１６、１７は、対応する情報ビット（ｂ０，ｂ１）が値「０」を有する場合は値「＋１」で変調され、あるいは対応する情報ビット（ｂ０，ｂ１）が値「１」を有する場合は値「−１」で変調される。さらに、インデックスＮ−８の長さ８ビットの第４のシーケンスすなわちシーケンス０’をＡＩＣＨに挿入する７６０。シーケンス０’は、シーケンス１６、１７と同様にして、情報ビットｂ２に対応した値で変調される７７０。情報ビットに対応した値は、予め構成された複数のリソース割当のうちでＥ−ＤＣＨへのアクセスに使用すべき１つを示すように設定される７８０。このように、情報ビットｂ０、ｂ１、ｂ２の組合せが、予め構成された複数のリソース割当のうち、ＵＥがＥ−ＤＣＨにアクセスするのに使用すべき１つを示す。あり得るリソース割当Ｒ０〜Ｒ７の表を図８に示す。
【００３４】
さらに図６に示すように、ＵＥは、ＮｏｄｅＢからＡＩＣＨで応答を受信する６２０。シーケンス８など、送信されたプリアンブルに対応したインデックスＮのシーケンスを、ＵＥはＡＩＣＨから検出６３０し、変調された値をシーケンスＮから導出する６４０。ＵＥがシーケンスＮでＡＣＫを導出すれば、さらに第２シーケンス２ｘ（Ｎ−８）＋１６および第３シーケンス２ｘ（Ｎ−８）＋１７を導出する。例えばシーケンス１６、１７など、対応するシーケンスを復調することによって、情報ビットｂ０、ｂ１が導出される６６０。次のステップとして、例えばシーケンス０’などのインデックスＮ−８の第４シーケンスを検出６７０し、情報ビットｂ２を導出する６８０。ＵＥは、情報ビットｂ０、ｂ１、ｂ２を使用して、予め構成された８リソース割当のうちのＥ−ＤＣＨへのアクセスに使用する１つ、すなわちＲ０〜Ｒ７のうちの１つを決定する６９０。
【００３５】
本発明の他の実施形態では、取得インジケータ情報すなわち「＋１」、「０」、「−１」は、はじめの長さ３２ビットの１６シーケンスすなわちシーケンス０〜１５だけではなく、最後の長さ３２ビットの１６シーケンスすなわちシーケンス１６〜３１および／または長さ８ビットの８シーケンスすなわちシーケンス０’〜７’にもマッピングされる。つまり、３つの取得インジケータ情報ビットを送信し、最多で８の高速Ｅ−ＤＣＨアクセスユーザに対する予め構成された２７すなわち３３のリソース割当の１つを示すのに使用することが可能であるということである。
【００３６】
本発明のさらに別の実施形態では、高速Ｅ−ＤＣＨユーザに対する取得インジケータは、シーケンス８〜１５のうちのシーケンスで直接表すのではなく、このシーケンスと、１６〜３１間の２つの対応シーケンスと、０’〜７’間の対応シーケンスとの組合せで表す。つまり、シーケンスは、２ステートまたは３ステート情報の３情報ビットだけではなく４情報ビットを表すことが可能であり、１つのビット組合せはＮＡＣＫを表し、他のビット組合せはＡＣＫとリソース割当とを表す。
【００３７】
本発明のさらに別の実施形態では、例えばＮｏｄｅＢにおいてリソース不足である場合、高速Ｅ−ＤＣＨユーザに従来のＲＡＣＨ手続のアクセスを続行させることができる。これについては、長さ３２ビットの追加１６シーケンスおよび／または長さ８ビットの８追加シーケンスの２ステートまたは３ステートマッピングから得られる全部のリソース割当表示のサブセットを使用して、達成することができる。一例としては、対応する長さ３２ビットの追加シーケンスのペアにＤＴＸが使用される場合、および／または対応する長さ８ビットの追加シーケンスのペアにＤＴＸが使用される場合、ＵＥは従来のＲＡＣＨ手続を続行するであろう。さらに別の例では、ＤＴＸがどのシーケンスにも使用されていない場合、シーケンスの（＋１，−１）などの１つの組合せを使用して、ＲＡＣＨにアクセスするようＵＥに示す。
【００３８】
同一の情報コンテンツを有する多くのシーケンスが、複数の高速Ｅ−ＤＣＨアクセスユーザへ並行して送信される場合、ピーク対平均電力値が問題となり得る。特に、長さ３２ビットの各シーケンスの第１ＱＰＳＫシンボルに問題がある。
【００３９】
ピーク電力を低減させるために、インデックス８〜１５の長さ３２ビットのシーケンスのいくつかにおけるＡＣＫ／ＮＡＣＫのマッピングが、本発明の上述の実施形態で説明したマッピングから変更される。一例としては、長さ３２ビットのシーケンス８、１０、１２、１４について逆にして、ＡＣＫのマッピングを値「−１」に変更し、ＮＡＣＫのマッピングを値「＋１」に変更する。
【００４０】
また、インデックス１６〜３１の長さ３２ビットのシーケンスのいくつかにおける情報ビットｂ０、ｂ１のマッピングも、本発明の上述の実施形態で説明したマッピングから変更される。一例としては、情報ビット値「０」のマッピングを「＋１」の代わりに「−１」に変更する。シーケンスペア（１６，１７）、（２０，２１）、（２４，２５）、（２８，２９）について、情報ビット値「１」のマッピングを「−１」の代わりに「＋１」に変更する。
【００４１】
同様に、インデックス０’〜７’の長さ８ビットのシーケンスのいくつかにおける情報ビットのマッピングも、本発明の上述の実施形態で説明したマッピングから変更される。一例としては、情報ビット値「０」のマッピングを「＋１」の代わりに「−１」に変更する。長さ８ビットのシーケンス０’、２’、４’、６’について、情報ビット値「１」のマッピングを「−１」の代わりに「＋１」に変更する。
【００４２】
本発明の別の実施形態では、変更ＡＣＫ／ＮＡＣＫマッピングの代替的実現として、ＡＣＫ／ＮＡＣＫマッピングを変更せずに、すなわちＡＣＫは「＋１」を意味し、ＮＡＣＫは「−１」を意味するままにしておいて、代わりに、長さ３２ビットの追加シーケンスすなわちシーケンス１６〜３２と、長さ８ビットの追加シーケンスすなわちシーケンス０’〜７’のいくつかとのペアのいくつかの増加を挿入することによって同一の結果を得ることができる。この増加は、例えば上位レイヤ信号送信や規格における明示的仕様によって、ＵＥ、ＮｏｄｅＢ双方に認知される。
【００４３】
増加の代わりに、予め変調を行って、同一の結果を得ることも可能である。一例としては、シーケンスペア（１６，１７）、（２０，２１）、（２４，２５）、（２８，２９）を「−１」で予め変調し、および／またはシーケンス０’、２’、４’、６’を「−１」で予め変調する。
【００４４】
本発明のさらなる観点によれば、本発明は、ＵＥにおける構成およびＮｏｄｅＢにおける構成に関する。ここで、一実施形態によるＵＥにおいて実施される手段を示した図９を見る。
【００４５】
低アクティビティステートであるときにアップリンクチャネルにアクセスするものであるＵＥ９００は、プリアンブルを含んだランダムアクセス要求をＮｏｄｅＢへＰＲＡＣＨで送信９１０する送信部を備える。また、ＵＥ９００は、ＮｏｄｅＢにおけるプリアンブルの検出に関連した情報を含んだ応答をＮｏｄｅＢからＰＲＡＣＨで受信９２０する受信部を備える。また、この応答は、ＡＩＣＨの拡張に、ＵＥがとるべき行動の表示を含む。
【００４６】
また、ＵＥは、プリアンブルに対応した第１シーケンスを検出し、第１シーケンスに直交し、第１シーケンスに関連した第２シーケンス、第３シーケンス、第４シーケンスとをＡＩＣＨの拡張において検出９３０する手段を備える。さらに、ＵＥは、第１シーケンスから第１変調値を導出し、第２シーケンス、第３シーケンス、第４シーケンスを復調することによってそれぞれ第２変調値、第３変調値、第４変調値を導出する９４０する手段を備える。加えて、ＵＥは、第１変調値、第２変調値、第３変調値、第４変調値に基づいて、予め構成された複数のリソース割当のうち、Ｅ−ＤＣＨにアクセスするため、またはＲＡＣＨにアクセスするために使用する１つを決定９５０する手段を備える。
【００４７】
ここで、一実施形態によるＮｏｄｅＢにおいて実施される手段を示した図１０を見る。
【００４８】
アップリンクチャネルアクセス情報を信号送信するものであるＮｏｄｅＢ１０００は、プリアンブルを含んだランダムアクセス要求をＰＲＡＣＨで受信１０１０する受信部を備える。また、ＮｏｄｅＢ１０００は、受信したランダムアクセス要求に応じて、プリアンブルの検出に関連した情報を含んだ応答をＵＥへＡＩＣＨで送信する送信部１０５０を備える。上述のように、この応答は、ＡＩＣＨの拡張に、ＵＥがとるべき行動の表示を含む。
【００４９】
また、ＮｏｄｅＢは、プリアンブルに対応した第１シーケンスをＡＩＣＨに挿入し、第１シーケンスに直交し、第１シーケンスに関連した第２シーケンス、第３シーケンス、第４シーケンスとをＡＩＣＨの拡張に挿入１０２０する手段を備える。さらに、ＮｏｄｅＢは、第１シーケンスを第１変調値で変調し、第２シーケンス、第３シーケンス、第４シーケンスをそれぞれ第２の値、第３の値、第４の値で変調１０３０する手段を備える。加えて、ＮｏｄｅＢは、予め構成された複数のリソース割当のうち、Ｅ−ＤＣＨにアクセスするため、またはＲＡＣＨにアクセスするために使用する１つを示すように第１の値、第２の値、第３の値、第４の値を設定１０４０する手段を備える。
【００５０】
本発明は、上述の好ましい実施形態に限定されるものではない。様々な代替、変更、均等物を用いることができる。したがって、上記実施形態については、添付の特許請求の範囲に記載の本発明の範囲を限定するものとして捉えるべきではない。
【図１】
2011502418.tif 000003
【図２】
2011502418.tif 000004
【図３】
2011502418.tif 000005
【図４】
2011502418.tif 000006
【図５】
2011502418.tif 000007
【図６】
2011502418.tif 000008
【図７】
2011502418.tif 000009
【図８】
2011502418.tif 000010
【図９】
2011502418.tif 000011
【図１０】
2011502418.tif 000012
【国際調査報告】
2011502418.tif 000013
2011502418.tif 000014
2011502418.tif 000015